(57)【要約】【課題】  同一コンテンツを識別して転送を行わないことで、記憶容量の無駄な消費を回避可能なコンテンツ管理装置及びコンテンツ管理方法を提供すること。【解決手段】  メディアドライブ部１１はリムーバブルメディア２０よりコンテンツを読み出し、コンテンツ特徴量生成部１３は読み出されたコンテンツから特徴量を生成する。コンテンツ管理部１２は生成した特徴量と記憶部１４に記憶されている特徴量とに基づき、双方のコンテンツとが互いに同一であるか否かを判定し、双方のコンテンツが不一致であると判定した場合、読み出されたコンテンツと生成された特徴量とを記憶部１４に記憶されているコンテンツに書き込む。【選択図】  図１
2006099334.tif 000002
【特許請求の範囲】
【請求項１】
外部記憶装置に記憶されているコンテンツを取得して管理するコンテンツ管理装置であって、
前記外部記憶装置よりコンテンツを読み出すコンテンツ読出し手段と、
前記読出し手段により前記外部記憶装置から読み出されたコンテンツと該コンテンツを識別する指標となる特徴量とを記憶する記憶手段と、
前記コンテンツ読出し手段により読み出されたコンテンツから特徴量を生成する特徴量生成手段と、
前記特徴量生成手段により生成された特徴量と前記記憶手段に記憶されている特徴量とに基づき、前記コンテンツ読出し手段により読み出されたコンテンツと前記記憶手段に記憶されているコンテンツとが互いに同一であるか否かを判定する同一判定手段と、
前記同一判定手段により、前記コンテンツ読出し手段により読み出されたコンテンツと前記記憶手段に記憶されているコンテンツとが不一致であると判定した場合、前記外部記憶装置から読み出されたコンテンツと前記特徴量生成手段により生成された特徴量とを前記記憶手段に書き込むコンテンツ書込み手段と、
を備えるコンテンツ管理装置。
【請求項２】
請求項１記載のコンテンツ管理装置であって、
前記同一判定手段は、
前記特徴量生成手段により生成された特徴量と前記記憶手段に記憶されている特徴量とに基づき、前記コンテンツ読出し手段により読み出されたコンテンツと前記記憶手段に記憶されているコンテンツの類似度を算出する類似度算出手段を備え、
前記類似度算出手段により算出された前記類似度が所定の基準値以上である場合に、前記コンテンツ読出し手段により読み出されたコンテンツと前記記憶手段に記憶されているコンテンツを同一と判定するコンテンツ管理装置。
【請求項３】
請求項１又は２記載のコンテンツ管理装置であって、
前記記憶手段は、コンテンツを識別する指標として書誌データを更に記憶し、
前記同一判定手段により、前記コンテンツ読出し手段により読み出されたコンテンツと前記記憶手段に記憶されているコンテンツとが同一であると判定された場合、前記外部記憶装置から読み出されたコンテンツが有する書誌データと前記記憶手段に記憶されている前記コンテンツの書誌データとに基づき双方の書誌データの差違情報を特定する差違情報特定手段と、
前記差違情報特定手段により前記差違情報が特定された場合、前記記憶手段に記憶されている前記コンテンツの書誌データを前記差違情報を用いて更新する書誌データ更新手段と、
を更に備えるコンテンツ管理装置。
【請求項４】
請求項１又は２記載のコンテンツ管理装置であって、
前記記憶手段は、コンテンツを識別する指標として書誌データを更に記憶し、
前記同一判定手段により、前記コンテンツ読出し手段により読み出されたコンテンツと前記記憶手段に記憶されているコンテンツとが同一であると判定された場合、前記外部記憶装置から読み出されたコンテンツに有する書誌データに有って、前記記憶手段に記憶されている書誌データに無い情報を特定する情報特定手段と、
前記情報特定手段により前記情報が特定された場合、前記記憶手段に記憶されている前記コンテンツの書誌データに前記情報を追加する書誌データ追加手段と、
を更に備えるコンテンツ管理装置。
【請求項５】
外部記憶装置に記憶されているコンテンツを取得して管理するコンテンツ管理方法であって、
前記外部記憶装置よりコンテンツを読み出すステップと、
前記読み出したコンテンツから特徴量を生成するステップと、
前記生成した特徴量と予め記憶手段に記憶されている特徴量とに基づき、前記読み出したコンテンツと前記予め記憶されているコンテンツとが互いに同一であるか否かを判定するステップと、
双方のコンテンツが不一致であると判定した場合、前記読み出されたコンテンツと前記生成された特徴量とを記憶手段に書き込むステップと、
を有するコンテンツ管理方法。
【請求項６】
請求項５記載のコンテンツ管理方法であって、
前記読み出したコンテンツと前記予め記憶されているコンテンツとが互いに同一であるか否かを判定するステップは、
前記生成した特徴量と前記予め記憶されている特徴量とに基づき、前記読み出したコンテンツと前記予め記憶されているコンテンツの類似度を算出するステップと、
前記算出された類似度が所定の基準値以上である場合に、前記読み出されたコンテンツと前記予め記憶されているコンテンツとが同一であると判定するステップと、
を有するコンテンツ管理方法。
【請求項７】
請求項５又は６記載のコンテンツ管理方法であって、
前記読み出されたコンテンツと前記予め記憶されている前記コンテンツとが同一であると判定された場合、前記読み出されたコンテンツが有する書誌データと予め記憶されている前記書誌データとに基づき双方の書誌データの差違情報を特定するステップと、
前記予め記憶されているコンテンツの書誌データを前記差違情報を用いて更新するステップと、
を更に有するコンテンツ管理方法。
【請求項８】
請求項５又は６記載のコンテンツ管理方法であって、
前記読み出されたコンテンツと前記予め記憶されているコンテンツとが同一であると判定された場合、前記読み出されたコンテンツに有する書誌データに有って、前記予め記憶されているコンテンツの書誌データに無い情報を特定するステップと、
前記予め記憶されている前記コンテンツの書誌データに前記特定された情報を追加するステップと、
を更に有するコンテンツ管理方法。
【請求項９】
コンピュータに、請求項５〜８のいずれか一項記載の各ステップを実行させるコンテンツ管理プログラム。
【発明の詳細な説明】
【技術分野】
【０００１】
本発明は、外部記憶装置に記憶されているコンテンツを取得して管理するコンテンツ管理装置及びコンテンツ管理方法に関する。
【背景技術】
【０００２】
従来、図５に示すように、パーソナルコンピュータ５０が、サーバ５１から取得したコンテンツをオーディオプレーヤ５２に転送する際に、音楽データと共に歌詞データ等の付加情報を転送可能なコンテンツ転送方法があった。このコンテンツ転送方法は、転送アプリケーションソフト５０２がハードディスク５０１から音楽コンテンツを読み出すと、転送アプリケーションソフト５０２を構成する抽出モジュール５０３がタグ情報を抽出し、抽出したタグ情報からコンテンツに付与されている歌手名と曲名を取得する。次に、抽出モジュール５０３は、取得した歌手名データと曲名データとをネットワークを介してサーバ５１に送信し、歌詞データの取得要求を送信する。その後、パーソナルコンピュータ５０は、サーバ５１から要求した歌詞データを取得するものである（例えば、特許文献１参照）。
【０００３】
また、カメラで撮像した映像データをコンピュータで管理するファイル管理方式において、カメラ（転送元：ソース）及びコンピュータ（転送先：デスティネーション）の識別情報や、撮影した映像内のユーザ拡張領域に格納した撮影日時などの書誌情報を利用して、コンピュータとカメラ間のコンテンツの照合に用いるものがあった（例えば、特許文献２参照）。
【特許文献１】特開２００４−１７６１８号公報
【特許文献２】特開平１０−２６９１２０号公報
【発明の開示】
【発明が解決しようとする課題】
【０００４】
しかしながら、上記従来のコンテンツ転送方法にあっては、利用者側が注意を払わない限り、既に転送したコンテンツを再びオーディオプレーヤにコンテンツを転送してしまう場合があるという事情があった。
【０００５】
また、上記従来のファイル管理方式にあっては、コンテンツのユーザ拡張領域に撮影日時などの書誌情報がない場合にはこの情報による照合ができず、また、異なるソースから入手したコンテンツでは、同一と判定できないといった事情があった。
【０００６】
したがって、転送先には同一のコンテンツが記憶されており、転送が不要であるにも拘わらず転送を行うことで転送される側の記憶領域を無駄に消費してしまう場合があるといった事情があった。
【０００７】
本発明は、上記従来の事情に鑑みてなされたものであって、同一コンテンツを識別して転送を行わないことで、記憶容量の無駄な消費を回避可能なコンテンツ管理装置及びコンテンツ管理方法を提供することを目的とする。
【課題を解決するための手段】
【０００８】
本発明のコンテンツ管理装置は、外部記憶装置に記憶されているコンテンツを取得して管理するコンテンツ管理装置であって、前記外部記憶装置よりコンテンツを読み出すコンテンツ読出し手段と、前記読出し手段により前記外部記憶装置から読み出されたコンテンツと該コンテンツを識別する指標となる特徴量とを記憶する記憶手段と、前記コンテンツ読出し手段により読み出されたコンテンツから特徴量を生成する特徴量生成手段と、前記特徴量生成手段により生成された特徴量と前記記憶手段に記憶されている特徴量とに基づき、前記コンテンツ読出し手段により読み出されたコンテンツと前記記憶手段に記憶されているコンテンツとが互いに同一であるか否かを判定する同一判定手段と、前記同一判定手段により、前記コンテンツ読出し手段により読み出されたコンテンツと前記記憶手段に記憶されているコンテンツとが不一致であると判定した場合、前記外部記憶装置から読み出されたコンテンツと前記特徴量生成手段により生成された特徴量とを前記記憶手段に書き込むコンテンツ書込み手段と、を備える。
【０００９】
この構成により、コンテンツを識別するための書誌データがコンテンツに付与されていなくてもコンテンツを識別することが可能になり、書誌データは異なるが同一コンテンツを重複して記憶することを避けることができる。したがって、ハードディスクの容量を無駄に消費することを防止することができる。
【００１０】
また、本発明のコンテンツ管理装置は、前記同一判定手段は、前記特徴量生成手段により生成された特徴量と前記記憶手段に記憶されている特徴量とに基づき、前記コンテンツ読出し手段により読み出されたコンテンツと前記記憶手段に記憶されているコンテンツの類似度を算出する類似度算出手段を備え、前記類似度算出手段により算出された前記類似度が所定の基準値以上である場合に、前記コンテンツ読出し手段により読み出されたコンテンツと前記記憶手段に記憶されているコンテンツを同一と判定する。
【００１１】
この構成により、コンテンツの同一性判定の保証精度が高めることができる。
【００１２】
また、本発明のコンテンツ管理装置は、前記記憶手段は、コンテンツを識別する指標として書誌データを更に記憶し、前記同一判定手段により、前記コンテンツ読出し手段により読み出されたコンテンツと前記記憶手段に記憶されているコンテンツとが同一であると判定された場合、前記外部記憶装置から読み出されたコンテンツが有する書誌データと前記記憶手段に記憶されている前記コンテンツの書誌データとに基づき双方の書誌データの差違情報を特定する差違情報特定手段と、前記差違情報特定手段により前記差違情報が特定された場合、前記記憶手段に記憶されている前記コンテンツの書誌データを前記差違情報を用いて更新する書誌データ更新手段と、を更に備える。
【００１３】
この構成により、記憶部に記憶されているコンテンツの書誌データを容易に更新することができる。
【００１４】
また、本発明のコンテンツ管理装置は、前記記憶手段は、コンテンツを識別する指標として書誌データを更に記憶し、前記同一判定手段により、前記コンテンツ読出し手段により読み出されたコンテンツと前記記憶手段に記憶されているコンテンツとが同一であると判定された場合、前記外部記憶装置から読み出されたコンテンツに有する書誌データに有って、前記記憶手段に記憶されている書誌データに無い情報を特定する情報特定手段と、前記情報特定手段により前記情報が特定された場合、前記記憶手段に記憶されている前記コンテンツの書誌データに前記情報を追加する書誌データ追加手段と、を更に備える。
【００１５】
この構成により、記憶手段に記憶されている書誌データの内容が逐次追加され、より正確な書誌データを生成することができる。
【００１６】
本発明のコンテンツ管理方法は、外部記憶装置に記憶されているコンテンツを取得して管理するコンテンツ管理方法であって、前記外部記憶装置よりコンテンツを読み出すステップと、前記読み出したコンテンツから特徴量を生成するステップと、前記生成した特徴量と予め記憶手段に記憶されている特徴量とに基づき、前記読み出したコンテンツと前記予め記憶されているコンテンツとが互いに同一であるか否かを判定するステップと、双方のコンテンツが不一致であると判定した場合、前記読み出されたコンテンツと前記生成された特徴量とを記憶手段に書き込むステップと、を有する。
【００１７】
この方法により、コンテンツを識別するための書誌データがコンテンツに付与されていなくてもコンテンツを識別することが可能になり、書誌データは異なるが同一コンテンツを重複して記憶することを避けることができる。したがって、ハードディスクの容量を無駄に消費することを防止することができる。
【００１８】
また、本発明のコンテンツ管理方法において、前記読み出したコンテンツと前記予め記憶されているコンテンツとが互いに同一であるか否かを判定するステップは、前記生成した特徴量と前記予め記憶されている特徴量とに基づき、前記読み出したコンテンツと前記予め記憶されているコンテンツの類似度を算出するステップと、前記算出された類似度が所定の基準値以上である場合に、前記読み出されたコンテンツと前記予め記憶されているコンテンツとが同一であると判定するステップと、を有する。
【００１９】
この方法により、コンテンツの同一性判定の保証精度が高めることができる。
【００２０】
また、本発明のコンテンツ管理方法において、前記読み出されたコンテンツと前記予め記憶されている前記コンテンツとが同一であると判定された場合、前記読み出されたコンテンツが有する書誌データと予め記憶されている前記書誌データとに基づき双方の書誌データの差違情報を特定するステップと、前記予め記憶されているコンテンツの書誌データを前記差違情報を用いて更新するステップと、を更に有する。
【００２１】
この方法により、記憶部に記憶されているコンテンツの書誌データを容易に更新することができる。
【００２２】
また、本発明のコンテンツ管理方法は、前記読み出されたコンテンツと前記予め記憶されているコンテンツとが同一であると判定された場合、前記読み出されたコンテンツに有する書誌データに有って、前記予め記憶されているコンテンツの書誌データに無い情報を特定するステップと、前記予め記憶されている前記コンテンツの書誌データに前記特定された情報を追加するステップと、を更に有する。
【００２３】
この方法により、記憶手段に記憶されている書誌データの内容が逐次追加され、より正確な書誌データを生成することができる。
【００２４】
本発明は、上記のコンテンツ管理方法の各ステップを実行させるコンテンツ管理プログラムを提供する。このプログラムにより、コンテンツを識別するための書誌データがコンテンツに付与されていなくてもコンテンツを識別することが可能になり、書誌データは異なるが同一コンテンツを重複して記憶することを避けることができる。したがって、ハードディスクの容量を無駄に消費することを防止することができる。
【発明の効果】
【００２５】
本発明によれば、同一コンテンツを識別して転送を行わないことで、記憶容量の無駄な消費を回避可能なコンテンツ管理装置及びコンテンツ管理方法を提供することができる。
【発明を実施するための最良の形態】
【００２６】
図１は、本発明の実施形態に係るコンテンツ管理装置の構成を示すブロック図である。  図１に示すように、この実施形態のコンテンツ管理装置１０は、コンテンツ読出し手段の一例であるメディアドライブ部１１と、同一判定手段及びコンテンツ書込み手段の一例であるコンテンツ管理部１２と、特徴量生成手段の一例であるコンテンツ特徴量生成部１３と、記憶手段の一例である記憶部１４とを備える。コンテンツ管理装置は、例えば、自動車に搭載される車載オーディオ装置等に適用される。
【００２７】
メディアドライブ部１１は、例えばコンテンツ管理装置１０の表面パネル等に設けられ、パーソナルコンピュータ等を用いて楽曲データからなるコンテンツをコピーしたＣＤ−ＲＯＭ、ＳＤ（Secure Digital）カード、ハードディスク、半導体メモリ等のリムーバブルメディア２０からコンテンツ（以下、メディアコンテンツという。）を読み出す。
【００２８】
コンテンツ管理部１２は、メディアドライブ部１１から読み出されたメディアコンテンツをコンテンツ特徴量生成部１３に出力し、また、コンテンツ特徴量生成部１３により生成されたメディアコンテンツを識別する指標となる特徴量（以下、メディア特徴量という。）を取得する。
【００２９】
ここで、メディア特徴量と記憶部１４に記憶されているコンテンツ（以下、記憶部コンテンツという。）を識別する指標となる特徴量（以下、コンテンツ特徴量という。）とについて説明する。メディア特徴量及びコンテンツ特徴量は、例えば図２に示すように、楽曲のテンポ、基本ビート、ビート速度、スペクトル変化度等、メディアコンテンツ及び記憶部コンテンツを識別する指標となるものである。テンポとは楽曲中に発音される音の発音頻度をいい、基本ビートとは楽曲を構成する基本的な音符であって、例えば４分音符、８分音符、１６分音符等をいい、ビート強度とは、ビートごとの強さをいう。
【００３０】
また、コンテンツ管理部１２は、コンテンツ特徴量生成部１３により生成されたメディア特徴量と記憶部１４に記憶されているコンテンツ特徴量とを比較し、それらの類似度を算出する。
【００３１】
コンテンツ管理部１２は、メディア特徴量とコンテンツ特徴量が所定値以上の類似度を満たさないと判定した場合には、リムーバブルメディア２０から読み出されたメディアコンテンツを記憶部コンテンツとして記憶部１４に記憶するとともに、コンテンツ特徴量生成部１３により生成されたメディア特徴量をコンテンツ特徴量として記憶部１４に書き込む。
【００３２】
一方、コンテンツ管理部１２は、メディア特徴量とコンテンツ特徴量が所定値以上の類似度を満たすと判定した場合には、リムーバブルメディア２０から読み出されたメディアコンテンツが記憶部１４に記憶されている記憶部コンテンツと同一のものであると認識して読み出したメディアコンテンツを消去して記憶部１４に書き込まない。
【００３３】
また、コンテンツ管理部１２は、メディアドライブ部１１を介してリムーバブルメディア２０から読み出したメディアコンテンツに付与されている曲名、歌手名、ジャンル名、アルバム名等の書誌情報からなる書誌データ（以下、メディア書誌データという。）を読み出し、このメディア書誌データと記憶部１４に記録されているコンテンツに付与されている曲名、歌手名、ジャンル名、アルバム名等の書誌情報からなる書誌データ（以下、コンテンツ書誌データという。）を逐次比較する。
【００３４】
コンテンツ管理部１２は、メディア書誌データとコンテンツ書誌データとが異なると判定した場合には、メディア書誌データの中から異なる書誌情報を抽出して、この抽出した書誌情報でもってコンテンツ書誌データを更新する。
【００３５】
一方、コンテンツ管理部１２は、メディア書誌データとコンテンツ書誌データとが同一であると判定した場合には、リムーバブルメディア２０より読み出したメディア書誌データを消去してコンテンツ書誌データを更新しない。
【００３６】
コンテンツ特徴量生成部１３が、コンテンツ管理部１２から出力されたメディアコンテンツを所定の時間ごとに分割して得たフレームの周波数帯域データを用いてメディア特徴量を生成する。なお、周波数帯域データを用いてメディア特徴量を生成する方法については、特開２００２−２７８５４７号公報に詳細に記載されている。
【００３７】
記憶部１４は、メディアドライブ部１１によりリムーバブルメディア２０から読み出された記憶部コンテンツ、コンテンツ特徴量及びコンテンツ書誌データを記憶する（図３（ｂ）参照）。
【００３８】
次に、この実施形態のコンテンツ管理装置の動作を、図４に示すフローチャートを参照して説明する。
【００３９】
まず、コンテンツ管理装置１０の表面パネルに設けられているメディアドライブ部１１にコンテンツを記憶するリムーバブルメディア２０を挿入すると、コンテンツ管理部１２は、リムーバブルメディア２０からメディアドライブ部１１を介してメディアコンテンツを読み出し（ステップＳ１０１）、読み出したメディアコンテンツをコンテンツ特徴量生成部１３に出力する。
【００４０】
コンテンツ特徴量生成部１３は、入力されたメディアコンテンツを所定の時間ごとに分割したフレームを生成したのち、このフレームの周波帯域データを生成する。次に、コンテンツ特徴量生成部１３は、周波数帯域データを用いてまずテンポ、基本ビート、ビート強度及びスペクトル変化度からなる特徴量を順次算出し、算出した特徴量をメディア特徴量とする（ステップＳ１０２）。例えば、コンテンツ特徴量生成部１３は、図２に示すように、テンポとして１２０、基本ビートとして０．９ビート速度として８５、スペクトル変化として７２としメディア特徴量を生成する。その後、コンテンツ特徴量生成部１３は、生成したメディア生成部特徴量をコンテンツ管理部１２に出力する。
【００４１】
コンテンツ管理生成部１２は、コンテンツ特徴量生成部１３からメディア特徴量が入力されると、記憶部１４に記録されているコンテンツ特徴量を逐次読み出し、読み出したコンテンツ特徴量と先に入力されたメディア特徴量とを、テンポ、基本ビート、ビート強度、スペクトル変化度の順に類似度を表す類似度値を算出する。例えば、コンテンツ特徴量のテンポが１１０でメディア特徴量が１２０であった場合には、類似度値は、０．９９１（１−（｜１２０−１１０｜÷１１０）＝０．９９１）となる。コンテンツ管理部１３は、同様にして、コンテンツ管理部１３は、基本ビート、ビート強度、及びスペクトル変化度の類似度値を算出する。
【００４２】
その後、コンテンツ管理部１２は、テンポ、基本ビート、ビート強度及びスペクトル変化度について算出した類似度値から、例えばそれらを平均する等の処理を行い、類似度を算出し、ワークメモリ（図示せず）に格納する。このようにして、コンテンツ管理部１２は、記憶部１４に記憶されているコンテンツ特徴量のすべてについて、コンテンツ特徴量生成部１３により入力されたメディア特徴量から算出された類似度をワークメモリに記憶する。
【００４３】
次に、コンテンツ管理部１２は、ワークメモリに記憶されている類似度のうち最も高い類似度を読み出し、この類似度がメディアコンテンツと記憶部コンテンツデータとが同一であると判定するための基準値（以下、判定用基準値という。）以上であるか否か判定する（ステップＳ１０３）。コンテンツ管理部１２は、類似度が判定用基準値以上であると判定すると（ステップＳ１０４のＹＥＳ）、メディアコンテンツのメディア書誌データと最も高い類似度を有する記憶部コンテンツのコンテンツ書誌データとを比較する（ステップＳ１０５）。
【００４４】
すなわち、コンテンツ管理部１２は、メディアコンテンツに付加ている歌詞名、曲名、ジャンル名及びアルバム名からなる書誌情報と、記憶部１４に記憶されている最も高い類似度を有する記憶部コンテンツの書誌情報とを比較する。
【００４５】
その後、コンテンツ管理部１２は、最も高い類似度のコンテンツ書誌データの中の書誌情報がメディアコンテンツのメディア書誌データの中の書誌情報にある場合には、該当する書誌情報を最も高い類似度の記憶部コンテンツのコンテンツ書誌データに書き込んで更新する（ステップＳ１０６）。
【００４６】
例えば、図３に示すように、メディアコンテンツの書誌データを構成する書誌情報としての歌手名項目が”ＢＢＢ”で、ジャンル名項目に記載なしで、アルバム名項目に”ＤＤＤ”であり、最も高い類似度を有する記憶部コンテンツのコンテンツ書誌データを構成する書誌情報として歌手名項目が記載なしで、ジャンル名項目に”ＣＣＣ”で、アルバム名項目に”ＥＥＥ”である場合には、最も高い類似度の記憶部コンテンツのコンテンツ書誌データを構成する歌手名項目を”ＢＢＢ”に、ジャンル名項目を記載なしに、アルバム名項目に”ＤＤＤ”を書き込んで更新する。その後、コンテンツ管理部１３は、ワークメモリに記憶されている類似度を消去して処理を終了する。
【００４７】
ステップＳ１０４において、コンテンツ管理部１２は、上述した最も高い値をとる類似度が判定用基準値未満であると判定した場合には（ステップＳ１０４のＮＯ）、記憶部１４にリムーバブルメディアから取得したメディアコンテンツを記憶部コンテンツとして、メディアコンテンツから算出したメディア特徴量をコンテンツ特徴量として、メディアコンテンツから読み出したメディア書誌データをコンテンツ書誌データとして記憶部１４に書き込み（ステップＳ１０７）、ワークメモリに記憶されている類似度を消去して処理を終了する。
【００４８】
以上のように、本発明の実施形態のコンテンツ管理装置１０によれば、コンテンツ管理部１２がリムーバブルメディア２０から読み出されたメディアコンテンツを記憶部１４に記憶するに際し、メディア特徴量とコンテンツ特徴量とを比較することにより、メディアコンテンツを記憶部１４に記憶するか否かを判定するので、コンテンツを識別するための書誌データがコンテンツに付与されていなくてもコンテンツを識別することが可能になり、書誌データは異なるが同一コンテンツを重複して記憶することを避けることができる。したがって、ハードディスクの容量を無駄に消費することを防止することができる。
【００４９】
また、記憶部１４に記憶されている記憶部コンテンツと同一のメディアコンテンツをリムーバブルメディア２０から読み込んだ場合には、更に、記憶部１４に記憶されている記憶部コンテンツのコンテンツ書誌データとメディアコンテンツのメディア書誌データとを比較し、互いに異なる書誌情報を有する場合には、メディア書誌データのうち異なる書誌情報を記憶部コンテンツの書誌データに書き込むので、コンテンツ書誌データを容易に更新することができる。
【００５０】
また、コンテンツ管理部１３がワークメモリに記憶されている類似度のうち最も高いものを読み出し、この類似度が上述した判定用基準値以上であるか否かでリムーバブルメディア２０から読み込まれたメディアコンテンツと記憶部１４に記憶する記憶部コンテンツを同一であるか否かを判定するので、判定の保証精度が高めることができる。
【００５１】
なお、上述したコンテンツ管理装置１０では、記憶部１４に記憶されている記憶部コンテンツのコンテンツ書誌データとメディアコンテンツのメディア書誌データを比較し、互いに異なる書誌情報を有する場合には、メディア書誌データの中の異なる書誌情報を記憶部コンテンツの書誌データに書き込むという構成になっているが、記憶部１４に記憶されているコンテンツ書誌データを構成する項目のうち、読み込まれたリムーバブルメディアのメディア書誌データに記載されていない項目について追加するような構成にしてもよい。また、コンテンツが同一と判定された場合において、ユーザに保存されている楽曲データと読み込んだ楽曲データとを聞き比べさせるなどして、確認をとるようにしてもよい。
【００５２】
また、上述したコンテンツ管理装置１０は、コンテンツとして楽曲データを使用した構成になっているが、それ以外として映像データ、画像データを使用してもよい。その場合には、その特徴量としては、例えば、画像データにおける画素間の輝度の変化、映像データにおける動きの変化等に基づいて特徴量が求められる。これにより、圧縮方式に関わらず類似度を算出し、コンテンツの同一判定を行うことができる。
【００５３】
また、映像と楽曲とからなるコンテンツデータの場合には、楽曲データを用い、上述したコンテンツ管理装置１０同様にして特徴量を生成してもよい。また、リムーバブルメディアを用いて楽曲データを読み込むようにしているが、リムーバブルメディア以外に、携帯型プレーヤや、パーソナルコンピュータなどを用い、例えばＵＳＢ等の通信手段を使ってコンテンツのやり取りをするようにしてもよい。
【産業上の利用可能性】
【００５４】
本発明のコンテンツ管理装置及びコンテンツ管理方法は、同一コンテンツを識別して転送を行わないことで、記憶容量の無駄な消費を回避可能な効果を有し、車載用コンテンツ再生装置等に有用である。
【図面の簡単な説明】
【００５５】
【図１】本発明の実施形態に係るコンテンツ管理装置の構成を示すブロック図
【図２】コンテンツ特徴量の一例を示す図
【図３】コンテンツの書誌データの一例を示す図
【図４】コンテンツ管理装置の動作を示すフローチャート
【図５】従来のコンテンツ管理システムの構成を示すブロック図
【符号の説明】
【００５６】
１０  コンテンツ管理装置
１１  メディアドライブ部
１２  コンテンツ管理部
１３  コンテンツ特徴量生成部
１４  記憶部
【図１】
2006099334.tif 000003
【図２】
2006099334.tif 000004
【図３】
2006099334.tif 000005
【図４】
2006099334.tif 000006
【図５】
2006099334.tif 000007